(57)【要約】      （修正有）【課題】新型コロナ感染防止と経済性とを両立させることができる、エア噴射装置を提供する。【解決手段】エア噴射装置１は、送風機２と、送風機に接続されるホース３と、ホースに接続されるパイプ４であって、複数の孔４１、・・・が形成されたパイプと、を備え、パイプの複数の孔を通じてエアを噴射するようになっている。パイプは、例えば、直線状に形成されて、又は、十文字形状に形成されて、テーブルの表面に上向きに設置されることが好ましい。【選択図】図１
0003232800.tif 000002
【実用新案登録請求の範囲】
【請求項１】
送風機と、
前記送風機に接続されるホースと、
前記ホースに接続されるパイプであって、複数の孔が形成されたパイプと、を備え、
前記パイプの複数の前記孔を通じてエアを噴射するようになっている、エア噴射装置。
【請求項２】
前記パイプは、直線状に形成されて、又は、十文字形状に形成されて、テーブルの表面に上向きに設置される、請求項１に記載された、エア噴射装置。
【請求項３】
前記パイプは、コの字形状に形成されて、テーブルの表面に上向きに設置される、請求項１に記載された、エア噴射装置。
【請求項４】
前記パイプは、円弧状に形成されて、帽子の縁に沿って下向きに設置されるとともに、前記送風機に給電するバッテリをさらに備える、請求項１に記載された、エア噴射装置。
【請求項５】
家庭用掃除機と、
前記家庭用掃除機に接続されるホースと、
前記ホースに接続されるパイプであって、スリットが形成されたパイプと、を備え、
前記パイプの前記スリットを通じてエアを吸引するようになっている、エア吸引装置。
【考案の詳細な説明】
【技術分野】
【０００１】
本考案は、新型コロナの感染を防止するためのエア噴射装置及びエア吸引装置に関するものである。
【背景技術】
【０００２】
近年、新型コロナウイルスを含む飛沫感染の予防対策として、透明なアクリル板を卓上に載置する、いわゆる卓上パーテーションが提案されている。
【０００３】
例えば、特許文献１には、第１スタンドと、第２スタンドと、を有し、第１スタンドは、第１溝を備えるスタンド本体と、スタンド本体と一体的に設けられ、締付操作部の締付操作により天板の手前側端部に取り外し可能に挟持固定されるクランプ部と、を有する卓上パーテーションが記載されている。
【先行技術文献】
【特許文献】
【０００４】
【特許文献１】実用新案登録第３２２９９８８号公報
【考案の概要】
【考案が解決しようとする課題】
【０００５】
しかしながら、特許文献１の卓上パーテーションを含む従来の技術では、会話が聞こえにくかったり、飛沫が側方から回り込んだりして、感染するリスクが高くなるおそれがある。
【０００６】
そこで、本考案は、新型コロナ感染防止と経済性とを両立させることができる、エア噴射装置及びエア吸引装置を提供することを目的としている。
【課題を解決するための手段】
【０００７】
前記目的を達成するために、本考案のエア噴射装置は、送風機と、前記送風機に接続されるホースと、前記ホースに接続されるパイプであって、複数の孔が形成されたパイプと、を備え、前記パイプの複数の前記孔を通じてエアを噴射するようになっている。
【０００８】
また、本考案のエア吸引装置は、家庭用掃除機と、前記家庭用掃除機に接続されるホースと、前記ホースに接続されるパイプであって、スリットが形成されたパイプと、を備え、前記パイプの前記スリットを通じてエアを吸引するようになっている。
【考案の効果】
【０００９】
このように、本考案のエア噴射装置は、送風機と、送風機に接続されるホースと、ホースに接続されるパイプであって、複数の孔が形成されたパイプと、を備え、パイプの複数の孔を通じてエアを噴射するようになっている。このような構成であれば、勢いよく空気を噴射することによってコロナウイルスの飛沫を吹き飛ばす機能を有する。この機能を実用化することにより、新型コロナ感染防止と経済性を両立させることができる。
【００１０】
また、本考案のエア吸引装置は、家庭用掃除機と、家庭用掃除機に接続されるホースと、ホースに接続されるパイプであって、スリットが形成されたパイプと、を備え、パイプのスリットを通じてエアを吸引するようになっている。このような構成であれば、勢いよく空気を吸引することによってコロナウイルスの飛沫を吸引する機能を有する。この機能を実用化することにより、新型コロナ感染防止と経済性を両立させることができる。
【図面の簡単な説明】
【００１１】
【図１】エア噴射装置の実施形態を説明する説明図である。
【図２】第１実施例のエア噴射装置の説明図である。
【図３】第２実施例のエア噴射装置の説明図である。
【図４】第３実施例のエア噴射装置の説明図である。
【図５】第４実施例のエア吸引装置の説明図である。
【考案を実施するための形態】
【００１２】
以下、本考案の実施の形態について図面を参照して説明する。ただし、以下の実施例に記載されている構成要素は例示であり、本考案の技術範囲をそれらのみに限定する趣旨のものではない。
【００１３】
まず、図１を用いて、実施形態のエア噴射装置１の構成について説明する。実施形態のエア噴射装置１は、送風機２と、送風機２に接続されるホース３と、ホース３に接続されるパイプ４であって、複数の孔４１、・・・が形成されたパイプ４と、を備え、パイプ４の複数の孔４１、・・・を通じてエアを噴射するようになっている。
【００１４】
送風機２は、羽根車の回転運動によって気体にエネルギーを与える電気駆動式の機械であり、ファン又はブロワと称することもできる。送風機２としては、例えば、シロッコファン、ターボファン、サイレントファン、リミットロードファンなどを使用できる。この送風機２によって発生された風が、ホース３を介してパイプ４の孔４１から噴射される。
【００１５】
ホース３は、送風機２とパイプ４とを接続する、柔軟性のある長尺の円筒部材であり、例えばゴム製や合成樹脂製のものを使用することができる。送風機２の出力によっては、ホース３は途中で分岐させることもできる。
【００１６】
パイプ４は、細長い円筒部材であり、例えば合成樹脂製や金属製のものを使用することができる。パイプ４には、長さ方向に沿って略等間隔に複数の孔４１、・・・が形成されており、孔４１を通じてエアを噴射する。孔４１の間隔や外径は、必要なエアの勢い（噴射量、到達距離）に応じて適宜調整することが好ましい。
【００１７】
上述したような構成によって、勢いよく空気を噴射することによってコロナウイルスの飛沫を吸引する機能を有している。そして、この機能を実用化することにより、新型コロナ感染防止と経済性を両立させることができる。
【実施例１】
【００１８】
次に、図２を用いて、本実施例のエア噴射装置１Ａの構成を説明する。エア噴射装置１Ａのパイプ４は、直線状に形成されて、テーブル９０の表面に上向きに設置されている。さらに、変形例のエア噴射装置１Ａのパイプ４は、十文字形状に形成されて、テーブル９０の表面に上向きに設置されている。
【００１９】
したがって、エア噴射装置１Ａを用いれば、食事中や会議中に、テーブル９０のセンターにパイプ４を設置することにより、ウイルスの飛沫を防ぐことができる。これに対して、従来型のアクリル板では、会話が聞こえにくかったり横から廻ったりして、感染するリスクが高くなる。さらに、パイプ４をクロス(十字)に設置することによって、テーブルで４人会食時でも飛沫を防ぐことができる。
【実施例２】
【００２０】
次に、図３を用いて、本実施例のエア噴射装置１Ｂの構成を説明する。エア噴射装置１Ｂのパイプ４は、コの字形状に形成されて、テーブル９０の表面に上向きに設置されている。すなわち、正面と、右側面と、左側面と、に、パイプ４が設置されており、３面からの飛沫の浸入を防止できる。
【００２１】
したがって、エア噴射装置１Ｂを用いれば、カラオケルーム、コンサート、ライブ、その他の司会や発表会などで、マスク無しで飛沫を防ぎ感染を防止することができる。
【実施例３】
【００２２】
次に、図４を用いて、本実施例のエア噴射装置１Ｃの構成を説明する。エア噴射装置１Ｃのパイプ４は、帽子９１の縁に沿って設置されるとともに、送風機２に給電するバッテリ（不図示）をさらに備えている。バッテリとしては、例えば、携帯用のリチウムイオン電池を使用することができる。この場合、帽子９１の頭上に送風機２を装着し、バッテリはポケットに入れておくことが好ましい。
【００２３】
したがって、エア噴射装置１Ｃを用いれば、帽子９１の縁から空気を噴射することにより、劇場や球場でのイベントに出席する際や、交通機関を利用する際などで、隣の人との間隔が狭くなる状態でも飛沫を防止することができる。さらに、屋外での散歩や運動の際にも安全である。すなわち、帽子９１に装着する場合には、バッテリ５としてモバイルバッテリなどを活用して、屋外で使用できる構造とすることが好ましい。
【実施例４】
【００２４】
次に、図５を用いて、本実施例のエア吸引装置１Ｄの構成を説明する。エア吸引装置１Ｄは、家庭用掃除機６と、家庭用掃除機６に接続されるホース３と、ホース３に接続されるパイプ４であって、スリット４２が形成されたパイプ４と、を備え、パイプ４のスリット４２を通じてエアを吸引するようになっている。
【００２５】
したがって、エア吸引装置１Ｄであれば、家庭用掃除機６を利用して飛沫を防ぐことができる。つまり、従来型のアクリル板は相手を遮断するのに対して、本実施例のエア吸引装置１Ｄを用いれば、普通に食事や会話が可能である。さらに、新型コロナウイルスを、掃除機のフィルタで除去することができる。加えて、安価に対策をとることができる。
【００２６】
（各実施例の効果について）
次に、各実施例のエア噴射装置１Ａ〜１Ｃ、及び、エア吸引装置１Ｄの奏する効果について説明する。
【００２７】
（１）実施例１のエア噴射装置１Ａのパイプ４は、直線状に形成されて、又は、十文字形状に形成されて、テーブルの表面に上向きに設置されるため、食事中や会議中に、テーブル９０のセンターに設置することにより、ウイルスの飛沫を防ぐことができる。これに対して、従来型のアクリル板では、会話が聞こえにくかったり横から廻ったりして、感染するリスクが高くなる。さらに、クロス(十字)に設置することによって、テーブルで４人会食時でも飛沫を防ぐことができる。
【００２８】
（２）実施例２のエア噴射装置１Ｂのパイプ４は、コの字形状に形成されて、テーブルの表面に上向きに設置されるため、カラオケルーム、コンサート、ライブ、その他の司会や発表会などで、マスク無しで飛沫を防ぎ感染を防止することができる。
【００２９】
（３）実施例３のエア噴射装置１Ｃのパイプ４は、帽子の縁に沿って設置されるとともに、送風機２に給電するバッテリ（不図示、ポケット内等に収容される）をさらに備えるため、帽子９１の縁から空気を噴射することにより、劇場や球場でのイベントに出席する際や、交通機関を利用する際などで、隣の人との間隔が狭くなる状態でも飛沫を防止することができる。さらに、屋外での散歩や運動の際にも安全である。すなわち、エア噴射装置１Ｃを帽子９１に装着する場合には、バッテリとしてモバイルバッテリなどを活用して、屋外で使用できる構造とすることが好ましい。
【００３０】
（４）実施例４のエア吸引装置１Ｄは、家庭用掃除機６と、家庭用掃除機６に接続されるホース３と、ホース３に接続されるパイプ４であって、スリット４２が形成されたパイプ４と、を備え、パイプ４のスリット４２を通じてエアを吸引するようになっている。このような構成であれば、勢いよく空気を吸引することによってコロナウイルスの飛沫を吸引する機能を有する。この機能を実用化することにより、新型コロナ感染防止と経済性を両立させることができる。
【００３１】
以上、図面を参照して、本考案の実施例を詳述してきたが、具体的な構成は、この実施例に限らず、本考案の要旨を逸脱しない程度の設計的変更は、本考案に含まれる。
【符号の説明】
【００３２】
１          エア噴射装置
１Ａ―１Ｃ  エア噴射装置
１Ｄ        エア吸引装置
２          送風機
３          ホース
４          パイプ
４１        孔
４２        スリット
５          バッテリ
６          家庭用掃除機
９０        テーブル
９１        帽子
【図１】
0003232800.tif 000003
【図２】
0003232800.tif 000004
【図３】
0003232800.tif 000005
【図４】
0003232800.tif 000006
【図５】
0003232800.tif 000007
【手続補正書】
【提出日】令和3年4月19日(2021.4.19)
【手続補正１】
【補正対象書類名】実用新案登録請求の範囲
【補正対象項目名】全文
【補正方法】変更
【補正の内容】
【実用新案登録請求の範囲】
【請求項１】
送風機と、
前記送風機に接続されるホースと、
前記ホースに接続されるパイプであって、複数の孔が形成されたパイプと、を備え、
前記パイプの複数の前記孔を通じてエアを噴射するようになっている、エア噴射装置。
【請求項２】
前記パイプは、直線状に形成されて、又は、十文字形状に形成されて、テーブルの表面に上向きに設置される、請求項１に記載された、エア噴射装置。
【請求項３】
前記パイプは、コの字形状に形成されて、テーブルの表面に上向きに設置される、請求項１に記載された、エア噴射装置。
【請求項４】
前記パイプは、円弧状に形成されて、帽子の縁に沿って下向きに設置されるとともに、前記送風機に給電するバッテリをさらに備える、請求項１に記載された、エア噴射装置。